(57)【特許請求の範囲】
【請求項１】
塵埃を吸引する吸引風を発生させる電動送風機を備えた本体と、
前記電動送風機の駆動の入り切りを操作入力する入り切りスイッチを備えた操作部を有し、一端に塵埃を吸引するための吸込み具が設けられ、他端に前記本体と着脱可能に接続する接続部が設けられたホース体と、
前記本体に設けられ、前記電動送風機に電力を供給し駆動を制御する制御手段を内包する制御基板と、を備え、
前記本体の、前記電動送風機が発生する吸引風の吸込み側に前記ホース体の前記接続部を接続する第１のホース体接続口が設けられ、
前記本体の、前記電動送風機が発生する吸引風の排出側に前記ホース体の前記接続部を接続する第２のホース体接続口が設けられ、
前記制御手段は、前記ホース体の前記接続部が前記第１のホース体接続口あるいは前記第２のホース体接続口の何れに接続されても、前記入り切りスイッチの操作入力により前記電動送風機の駆動の入り切りを制御でき、
前記ホース体の前記吸込み具は、被清掃面の塵埃をかきあげる回転ブラシを駆動するための回転ブラシ用電動機を有し、
前記ホース体の前記接続部を前記第１のホース体接続口に接続したときは、前記回転ブラシ用電動機に電力が供給可能な状態となり、
前記ホース体の前記接続部を前記第２のホース体接続口に接続したときは、前記回転ブラシ用電動機に電力が供給可能な状態とならないことを特徴とする電気掃除機。
【請求項２】
前記第２のホース体接続口には、前記ホース体が接続されたことを検知する検知手段が設けられていることを特徴とする請求項１に記載の電気掃除機。
【請求項３】
塵埃を吸引する吸引風を発生させる電動送風機を備えた本体と、
前記電動送風機の駆動の入り切りを操作入力する入り切りスイッチを備えた操作部を有し、一端に塵埃を吸引するための吸込み具が設けられ、他端に前記本体と着脱可能に接続する接続部が設けられたホース体と、
前記本体に設けられ、前記電動送風機に電力を供給し駆動を制御する制御手段を内包する制御基板と、を備え、
前記本体の、前記電動送風機が発生する吸引風の吸込み側に前記ホース体の前記接続部を接続する第１のホース体接続口が設けられ、
前記本体の、前記電動送風機が発生する吸引風の排出側に前記ホース体の前記接続部を接続する第２のホース体接続口が設けられ、
前記ホース体の前記接続部を前記第１のホース体接続口に接続したときは、
前記ホース体の前記接続部側に設けられた、前記入り切りスイッチと電気的に接続された第１の接続端子と、前記第１のホース体接続口側に設けられた、前記制御基板と電気的に接続された第１の接続端子受けにより、前記入り切りスイッチの操作信号を前記制御基板に送信する第１の信号配線が結線され、
前記ホース体の前記接続部側に設けられた、前記入り切りスイッチと電気的に接続された第２の接続端子と、前記第１のホース体接続口側に設けられた、前記制御基板と電気的に接続された第２の接続端子受けにより、前記制御基板の基準電位に接続される第１の基準電位配線が結線され、
前記ホース体の前記接続部を前記第２のホース体接続口に接続したときは、
前記ホース体の前記接続部側に設けられ、前記入り切りスイッチと電気的に接続された第１の接続端子と、前記第２のホース体接続口側に設けられ、前記制御基板と電気的に接続された第４の接続端子受けが接続されて前記入り切りスイッチの操作信号を前記制御基板に送信する第２の信号配線が結線され、
前記ホース体の前記接続部側に設けられ、前記入り切りスイッチと電気的に接続された第２の接続端子と、前記第２のホース体接続口側に設けられ、前記制御基板と電気的に接続された第５の接続端子受けが接続されて前記制御基板の基準電位に接続される第２の基準電位配線が結線され、
前記制御手段は、前記ホース体の前記接続部が前記第１のホース体接続口あるいは前記第２のホース体接続口の何れに接続されても、前記入り切りスイッチの操作入力により前記電動送風機の駆動の入り切りを制御でき、
前記ホース体の前記吸込み具は、被清掃面の塵埃をかきあげる回転ブラシを駆動するための回転ブラシ用電動機を有し、
前記ホース体の前記接続部を前記第１のホース体接続口に接続したときは、
前記ホース体の前記接続部側に設けられ、前記回転ブラシ用電動機と電気的に接続された第３の接続端子と、前記第１のホース体接続口側に設けられ、前記制御基板と電気的に接続された第３の接続端子受けが接続されて前記制御基板の電力配線から前記回転ブラシ用電動機に電力を供給する電力供給配線が結線され、前記回転ブラシ用電動機に電力が供給可能な状態となり、
前記ホース体の前記接続部を前記第２のホース体接続口に接続したときは、
前記第２のホース体接続口側には、前記第３の接続端子と接続される前記制御基板と電気的に接続された第６の接続端子受けが無いか、あるいは前記第２のホース体接続口側に設けられた前記第６の接続端子受けが前記制御基板と電気的に接続されておらず、前記制御基板の電力線から前記回転ブラシ用電動機に電力を供給する電力供給配線が結線されずに、前記回転ブラシ用電動機に電力が供給可能な状態とならないことを特徴とする電気掃除機。
【請求項４】
前記第２のホース体接続口には、前記ホース体が接続されたことを検知する検知手段が設けられていて、
前記検知手段は、前記ホース体が前記第２のホース体接続口に接続されたときに前記第３の接続端子を検知するものであり、
前記制御手段は、前記検知手段が前記第３の接続端子を検知すると、前記ホース体が前記第２のホース体接続口に接続されたと判断することを特徴とする請求項３に記載の電気掃除機。
【請求項５】
前記第２のホース体接続口には、前記ホース体が接続されたことを検知する検知手段が設けられていて、
前記検知手段は、前記ホース体が前記第２のホース体接続口に接続されたときに前記第１の接続端子あるいは前記第２の接続端子あるいは前記第３の接続端子の何れかを検知するものであり、
前記制御手段は、前記検知手段が前記第１の接続端子あるいは前記第２の接続端子あるいは前記第３の接続端子の何れかを検知すると、前記ホース体が前記第２のホース体接続口に接続されたと判断することを特徴とする請求項３に記載の電気掃除機。
【請求項６】
前記制御手段は、前記ホース体の前記接続部が前記第２のホース体接続口に接続されたときの前記電動送風機の最大出力と、前記ホース体の前記接続部が前記第１のホース体接続口に接続されたときの前記電動送風機の最大出力を、異なる出力とすることを特徴とする請求項１〜請求項５何れか１項に記載の電気掃除機。
【請求項７】
前記電動送風機の最大出力を、前記ホース体の前記接続部が前記第１のホース体接続口に接続されたときの前記電動送風機の最大出力よりも小さい出力とすることを特徴とする請求項６に記載の電気掃除機。
【請求項８】
前記電動送風機の最大出力を、前記ホース体の前記接続部が前記第１のホース体接続口に接続されたときの前記電動送風機の最大出力よりも大きい出力とすることを特徴とする請求項６に記載の電気掃除機。
【請求項９】
前記操作部は、電動送風機の出力を２段階以上に変更できる出力可変スイッチを有し、
前記制御手段は、前記ホース体の前記接続部が前記第２のホース体接続口に接続されたときに、前記出力可変スイッチで変更した前記電動送風機の最大出力と、前記ホース体の前記接続部が前記第１のホース体接続口に接続されたときに、前記出力可変スイッチで変更した前記電動送風機の最大出力を、異なる出力とすることを特徴とする請求項１〜請求項５何れか１項に記載の電気掃除機。
【請求項１０】
前記操作部は、電動送風機の出力を２段階以上に変更できる出力可変スイッチを有し、
前記制御手段は、前記ホース体の前記接続部が前記第２のホース体接続口に接続されたときに、前記出力可変スイッチで変更した前記電動送風機の最大出力を、前記ホース体の前記接続部が前記第１のホース体接続口に接続されたときに、前記出力可変スイッチで変更した前記電動送風機の最大出力よりも小さい出力とすることを特徴とする請求項１〜請求項５何れか１項に記載の電気掃除機。
【請求項１１】
前記操作部は、電動送風機の出力を２段階以上に変更できる出力可変スイッチを有し、
前記制御手段は、前記ホース体の前記接続部が前記第２のホース体接続口に接続されたときに、前記出力可変スイッチで変更した前記電動送風機の最大出力を、前記ホース体の前記接続部が前記第１のホース体接続口に接続されたときに、前記出力可変スイッチで変更した前記電動送風機の最小出力よりも小さい出力とすることを特徴とする請求項１〜請求項５何れか１項に記載の電気掃除機。
【請求項１２】
前記ホース体の前記接続部には係止用フックが設けられ、前記第１のホース体接続口及び前記第２のホース体接続口には、それぞれ前記係止用フックが係合する係合部が設けられていて、前記第３の接続端子は前記係止用フックに一番近い位置に設けられていることを特徴とする請求項３〜請求項５何れか１項に記載の電気掃除機。
【請求項１３】
前記本体内に、前記電動送風機の排気風が通過可能な通風経路を有し、該通風経路内にフィルターが設けられ、前記第２のホース体接続口側に設けられた前記それぞれの接続端子受けは、前記フィルターを通過した排気風が通過する経路に設けられていることを特徴とする請求項３〜請求項５何れか１項に記載の電気掃除機。
【請求項１４】
前記電動送風機が発生する吸引風の排出側である前記第２のホース体接続口に、開閉可能で通気可能なカバー部材を設け、
前記第２のホース体接続口に前記カバー部材の開閉状態を検知する検知手段を設けて、
前記検知手段が、前記カバー部材が閉じていることを検知した場合、前記制御手段は前記第２のホース体接続口に前記ホース体の前記接続部が接続されていないと判断することを特徴とする請求項１〜請求項３何れか１項に記載の電気掃除機。
【請求項１５】
前記本体に、前記電動送風機の駆動により発生する吸引風で吸い込まれた塵埃を捕集する集塵ユニットを着脱可能に収容する集塵ユニット収容部が設けられ、前記第１のホース体接続口は前記集塵ユニット収容部に設けられていることを特徴とする請求項１〜請求項１４何れか１項に記載の電気掃除機。
【請求項１６】
塵埃を吸引する吸引風を発生させる電動送風機を備えた本体と、
前記電動送風機の駆動の入り切りを操作入力する入り切りスイッチを備えた操作部を有し、一端に塵埃を吸引するための吸込み具が設けられ、他端に前記本体と着脱可能に接続する接続部が設けられたホース体と、
前記本体に設けられ、前記電動送風機に電力を供給し駆動を制御する制御手段を内包する制御基板と、を備え、
前記本体の、前記電動送風機が発生する吸引風の吸込み側に前記ホース体の前記接続部を接続する第１のホース体接続口が設けられ、
前記本体の、前記電動送風機が発生する吸引風の排出側に前記ホース体の前記接続部を接続する第２のホース体接続口が設けられ、
前記制御手段は、前記ホース体の前記接続部が前記第１のホース体接続口あるいは前記第２のホース体接続口の何れに接続されても、前記入り切りスイッチの操作入力により前記電動送風機の駆動の入り切りを制御でき、
前記操作部は、電動送風機の出力を２段階以上に変更できる出力可変スイッチを有し、
前記制御手段は、前記ホース体の前記接続部が前記第２のホース体接続口に接続されたときに、前記出力可変スイッチで変更した前記電動送風機の最大出力と、前記ホース体の前記接続部が前記第１のホース体接続口に接続されたときに、前記出力可変スイッチで変更した前記電動送風機の最大出力を、異なる出力とすることを特徴とする電気掃除機。
【請求項１７】
塵埃を吸引する吸引風を発生させる電動送風機を備えた本体と、
前記電動送風機の駆動の入り切りを操作入力する入り切りスイッチを備えた操作部を有し、一端に塵埃を吸引するための吸込み具が設けられ、他端に前記本体と着脱可能に接続する接続部が設けられたホース体と、
前記本体に設けられ、前記電動送風機に電力を供給し駆動を制御する制御手段を内包する制御基板と、を備え、
前記本体の、前記電動送風機が発生する吸引風の吸込み側に前記ホース体の前記接続部を接続する第１のホース体接続口が設けられ、
前記本体の、前記電動送風機が発生する吸引風の排出側に前記ホース体の前記接続部を接続する第２のホース体接続口が設けられ、
前記制御手段は、前記ホース体の前記接続部が前記第１のホース体接続口あるいは前記第２のホース体接続口の何れに接続されても、前記入り切りスイッチの操作入力により前記電動送風機の駆動の入り切りを制御でき、
前記操作部は、電動送風機の出力を２段階以上に変更できる出力可変スイッチを有し、
前記制御手段は、前記ホース体の前記接続部が前記第２のホース体接続口に接続されたときに、前記出力可変スイッチで変更した前記電動送風機の最大出力を、前記ホース体の前記接続部が前記第１のホース体接続口に接続されたときに、前記出力可変スイッチで変更した前記電動送風機の最大出力よりも小さい出力とすることを特徴とする電気掃除機。
【請求項１８】
塵埃を吸引する吸引風を発生させる電動送風機を備えた本体と、
前記電動送風機の駆動の入り切りを操作入力する入り切りスイッチを備えた操作部を有し、一端に塵埃を吸引するための吸込み具が設けられ、他端に前記本体と着脱可能に接続する接続部が設けられたホース体と、
前記本体に設けられ、前記電動送風機に電力を供給し駆動を制御する制御手段を内包する制御基板と、を備え、
前記本体の、前記電動送風機が発生する吸引風の吸込み側に前記ホース体の前記接続部を接続する第１のホース体接続口が設けられ、
前記本体の、前記電動送風機が発生する吸引風の排出側に前記ホース体の前記接続部を接続する第２のホース体接続口が設けられ、
前記制御手段は、前記ホース体の前記接続部が前記第１のホース体接続口あるいは前記第２のホース体接続口の何れに接続されても、前記入り切りスイッチの操作入力により前記電動送風機の駆動の入り切りを制御でき、
前記操作部は、電動送風機の出力を２段階以上に変更できる出力可変スイッチを有し、
前記制御手段は、前記ホース体の前記接続部が前記第２のホース体接続口に接続されたときに、前記出力可変スイッチで変更した前記電動送風機の最大出力を、前記ホース体の前記接続部が前記第１のホース体接続口に接続されたときに、前記出力可変スイッチで変更した前記電動送風機の最小出力よりも小さい出力とすることを特徴とする電気掃除機。
【発明の詳細な説明】
【技術分野】
【０００１】
本発明は電気掃除機に関する。
【背景技術】
【０００２】
電気掃除機は、本体内に収容された電動送風機が発生させた吸引風により被清掃面から塵埃を含んだ空気を吸引し、集塵部で塵埃と空気に分離し集塵部に塵埃が蓄積され、塵埃が除かれた空気は本体外に排出されるが、従来、この排出される空気を利用して、吸込み具では掃除がし難い部屋の隅や、窓枠のレールの隅等に留まっている塵埃等を吹き飛ばす送風機能を備えた掃除機が知られている（例えば、特許文献１参照）。
【先行技術文献】
【特許文献】
【０００３】
【特許文献１】特開２０１１−２５０９７２号公報（第５頁、図７）
【発明の概要】
【発明が解決しようとする課題】
【０００４】
特許文献１に記載の電気掃除機は、本体の空気吸込み側に挿入しているホース接続管を本体の空気吸込み側から外し、本体の空気排出側にホース接続管を挿入して、本体からの排出空気をホース接続管から排出するようにして送風機能としている。
【０００５】
しかし、特許文献１に記載の電気掃除機では、送風機能を使用するときに送風のための風を発生させる電動送風機をどのようにして駆動させるかについて一切開示がなく、電気掃除機の排気を送風機能として使用するには実用性に乏しいという課題があった。
【０００６】
本発明は、かかる課題を解決するために、使用者がホース体を空気の吸込み側、排出側の何れの接続口に接続しても、ホース体の操作部により容易に電動送風機の駆動の入り切りができる電気掃除機を提供することを目的とする。
【課題を解決するための手段】
【０００７】
課題を解決する本発明に係る電気掃除機は、塵埃を吸引する吸引風を発生させる電動送風機を備えた本体と、電動送風機の駆動の入り切りを操作入力する入り切りスイッチを備えた操作部を有し、一端に塵埃を吸引するための吸込み具が設けられ、他端に本体と着脱可能に接続する接続部が設けられたホース体と、本体に設けられ、電動送風機に電力を供給し駆動を制御する制御手段を内包する制御基板と、を備え、本体の、電動送風機が発生する吸引風の吸込み側にホース体の接続部を接続する第１のホース体接続口が設けられ、本体の、電動送風機が発生する吸引風の排出側にホース体の接続部を接続する第２のホース体接続口が設けられ、制御手段は、ホース体の接続部が第１のホース体接続口あるいは第２のホース体接続口の何れに接続されても、入り切りスイッチの操作入力により電動送風機の駆動の入り切りを制御できるものである。また、ホース体の吸込み具は、被清掃面の塵埃をかきあげる回転ブラシを駆動するための回転ブラシ用電動機を有し、ホース体の接続部を第１のホース体接続口に接続したときは、回転ブラシ用電動機に電力が供給可能な状態となり、ホース体の接続部を第２のホース体接続口に接続したときは、回転ブラシ用電動機に電力が供給可能な状態とならない。
【発明の効果】
【０００８】
本発明によれば、本体の吸引風の吸込み側にホース体を接続する第１のホース体接続口を設け、吸引風の排出側にホース体を接続する第２のホース体接続口を設け、制御手段はホース体が第１のホース体接続口あるいは第２のホース体接続口の何れに接続されても、入り切りスイッチの操作入力により電動送風機の駆動の入り切りを制御できるようにしたので、電機掃除の排出空気を送風機能として使用するとき、普通に掃除機を使うときと同じ使用感で、入り切りスイッチの操作入力により電動送風機を駆動させて送風できる。よって、使用者が戸惑うことがなく使い勝手がよい送風機能を得ることができる。
【図面の簡単な説明】
【０００９】
【図１】本発明の実施の形態１に係る電気掃除機の概略構成を示す斜視図である。
【図２】本発明の実施の形態１に係る電気掃除機の本体の側面図である。
【図３】本発明の実施の形態１に係る電気掃除機の本体の中心を前後方向で切断し側面から見た断面図である。
【図４】本発明の実施の形態１に係る電気掃除機の本体を、図２に示す断面Ａ−Ａで切断した断面図である。
【図５】本発明の実施の形態１に係る電気掃除機の操作部の部分拡大図である。
【図６】（ａ）吸込み具を床面である被清掃面と対向する面側から見た図、（ｂ）吸込み具の上カバーを外した状態の斜視図である。
【図７】本発明の実施の形態１に係る電気掃除機の本体から集塵ユニットを少し引き出した状態を示す斜視図である。
【図８】（ａ）本発明の実施の形態１に係る電気掃除機の集塵ユニットを示す斜視図、（ｂ）本発明の実施の形態１に係る電気掃除機の集塵ユニットから集塵室を外した状態を示す斜視図である。
【図９】（ａ）本発明の実施の形態１に係る電気掃除機のホース体接続部を係止用フックの側から見た部分詳細図、（ｂ）本発明の実施の形態１に係る電気掃除機のホース体接続部を係止用フックが上側にあるときに側方から見た部分詳細図、（ｃ）本発明の実施の形態１に係る電気掃除機のホース体接続部を本体と連通する側から見た図である。
【図１０】本発明の実施の形態１に係る電気掃除機の本体の、図２に示すＢ方向から前側のホース体接続口（第１のホース体接続口）を見た図である。
【図１１】本発明の実施の形態１に係る電気掃除機本体の前側のホース体接続口（第１のホース体接続口）にホース体接続部を接続して係止用フックの箇所で切断し、係止用フック周辺を示す側面から見た拡大図である。
【図１２】第３の接続端子と第３の接続端子受けの結線（接続）状態の一例を示す模式断面図である。
【図１３】（ａ）本発明の実施の形態１に係る電気掃除機の本体を後側から見た図、（ｂ）図１３（ａ）において、カバー部材（排気口カバー）を開いて後側のホース体接続口（第２のホース体接続口）を見た図である。
【図１４】（ａ）本発明の実施の形態１に係る電気掃除機本体の後側のホース体接続口（第２のホース体接続口）にホース体接続部を接続する少し前の状態を示す斜視図、（ｂ）本発明の実施の形態１に係る電気掃除機本体の後側のホース体接続口（第２のホース体接続口）にホース体接続部を接続した状態を示す斜視図である。
【図１５】本発明の実施の形態１に係る電気掃除機本体の後側のホース体接続口（第２のホース体接続口）にホース体接続部を接続し、ホース体が取り付けられた状態を示す外観斜視図である。
【図１６】本発明の実施の形態１に係る電気掃除機本体の後側のホース体接続口（第２のホース体接続口）にホース体接続部を接続して検知手段が見える箇所で切断した、側面から見た断面図である。
【図１７】図１６の検知手段周辺を示す拡大図である。
【図１８】本発明の実施の形態１に係る電気掃除機本体の後側のホース体接続口（第２のホース体接続口）にホース体接続部を接続して係止用フックの箇所で切断した、係止用フック周辺を示す拡大図である。
【図１９】本発明の実施の形態１に係る電気掃除機の動作のフローチャートである。
【図２０】本発明の実施の形態２に係る電気掃除機の動作のフローチャートである。
【発明を実施するための形態】
【００１０】
実施の形態１．
（電気掃除機の構成）
図１は本発明の実施の形態１に係る電気掃除機の概略構成を示す斜視図、図２は本発明の実施の形態１に係る電気掃除機の本体の側面図、図３は本発明の実施の形態１に係る電気掃除機の本体の中心を前後方向で切断し側面から見た断面図、図４は本発明の実施の形態１に係る電気掃除機の本体を、図２に示す断面Ａ−Ａで切断した断面図、図５は本発明の実施の形態１に係る電気掃除機の操作部の部分拡大図、図６（ａ）は吸込み具を床面である被清掃面と対向する面側から見た図、図６（ｂ）は吸込み具の上カバーを外した状態の斜視図、図７は本発明の実施の形態１に係る電気掃除機の本体から集塵ユニットを少し引き出した状態を示す斜視図、図８（ａ）は本発明の実施の形態１に係る電気掃除機の集塵ユニットを示す斜視図、図８（ｂ）は本発明の実施の形態１に係る電気掃除機の集塵ユニットから集塵室を外した状態を示す斜視図である。
以下、図１から図８により本発明の実施の形態１に係る電気掃除機の構成について説明する。
なお、それぞれの図において、同じ部分または相当する部分には同じ符号を付し、一部の説明を省略することがある。
【００１１】
図１に示すように、１００は本発明の実施の形態1に係る電気掃除機であり、吸込み具１と、延長管２と、操作部４を備える把持部３と、接続部５ａと可撓性軟質管５ｂから成るホース体５と、電機掃除機本体６に収容される集塵ユニット８で構成される。
【００１２】
吸込み具１は、図６（ｂ）に示すように外郭を射出成形で形成された硬質の樹脂部品の上ケース１ｂと下ケース１ｃで構成し、後述する電動送風機２３の駆動により発生する吸引風により、例えば床面である被清掃面にある塵埃を空気と一緒に吸引するものである。
【００１３】
図６（ａ）に示すように吸込み具１の、床面である被清掃面と対向する面側の下ケース１ｃには開口１ａが設けられており、吸込み具１内に、その開口１ａから一部が突出した回転ブラシ４１が回動可能に収容されている。
【００１４】
回転ブラシ４１は、被清掃面から塵埃をかきあげるように回転し、その回転の駆動力は、図６（ｂ）に示す、吸込み具１内に収容された回転ブラシ用電動機４２の回転力を、駆動ベルト４３を介して伝達される。
【００１５】
延長管２も吸込み具１と同様、外郭を射出成形で形成された硬質の樹脂部品で構成しており、図示しない伸縮構造を有し、一端が吸込み具１と接続され、他端が把持部３と接続されて吸引風の風路の一部を構成している。
【００１６】
把持部３も、外郭を射出成形で形成された硬質の樹脂部品で構成しているが、使用者が握りやすくなるように、使用者が握る箇所の一部に軟質の樹脂部品を使用してもよい。把持部３には図１、図５に示すように、電動送風機２３を起動させたり、駆動を停止させたりする入り切りスイッチ４ａ、電動送風機２３の駆動力を強くしたり弱くしたりする出力可変スイッチ４ｂ、回転ブラシ駆動スイッチ４ｃを備えた操作部４が設けられている。
【００１７】
把持部３の一部も、吸引風の風路の一部を構成しており、延長管２が接続されている側の他端がホース体５の可撓性軟質管５ｂと接続される。可撓性軟質管５ｂは、中空で蛇腹のような可撓性を有する軟質樹脂部品で構成されている。
【００１８】
電機掃除機本体６の外郭は射出成形で形成された樹脂部品で構成されている。電機掃除機本体６には、電機掃除機本体６を持ち運ぶときに使用されるハンドル９が設けられている。ハンドル９も射出成形で形成された樹脂部品で形成されている。
【００１９】
また、電機掃除機本体６の前側には、図２に示すように集塵ユニット８を収容する集塵ユニット収容部６ａが設けられている。集塵ユニット収容部６ａには第１のホース体接続口７が設けられ、一端が把持部３と接続されているホース体５の他端に設けられた接続部５ａを第１のホース体接続口７に挿入することで、ホース体５が電機掃除機本体６に接続される。
【００２０】
使用者が清掃するときに、電機掃除機本体６を被清掃面上で取り回しやすくするため、電機掃除機本体６の下面には進行方向を変えることができるキャスタータイプの前輪１０を、電機掃除機本体６の両側面には口径の大きい後輪１１を備えている。
【００２１】
図２に示すように、集塵ユニット８は被清掃面に対して傾斜して、集塵ユニット収容部６ａに収容、取り付けられている。集塵ユニット８は、集塵ユニット８側に設けられた図示しない係止部が、電機掃除機本体６側に設けられた図示しない係合部に係止して固定される。係止部は図示しない付勢手段により係止するように付勢されている。
【００２２】
集塵ユニット８は、集塵ユニット８の上部に設けられた係止解除ボタン３８を操作することで、集塵ユニット８側に設けられた図示しない係止部が、電機掃除機本体６側に設けられた図示しない係合部から外れ、取り外し可能な状態となる。
【００２３】
その状態から、集塵ユニット８に設けられた手掛け（指掛け）部８ａに手（指）を掛けて、図２に示す矢印Ｃの方向へ引き出すと、図８に示すように集塵ユニット８は集塵ユニット収容部６ａから取り外される。なお、集塵ユニット８の構成については、後段で説明する。
【００２４】
図３、図４に示すように電機掃除機本体６内の後方寄りに電動送風機２３が設けられている。電動送風機２３は、前述のように、吸込み具１から塵埃を含んだ空気を吸引するための吸引風を発生させるものである。
【００２５】
また、電機掃除機本体６内の後方寄りで、電動送風機２３の側方には制御基板２４が設けられている。制御基板２４に実装された図示しないマイコンに包含される制御手段は、操作部４に設けられた入り切りスイッチ４ａの操作により、電動送風機２３を起動させたり、電動送風機２３の駆動を停止させたりして、電動送風機２３の動作を制御できる。
【００２６】
電動送風機２３を挟み、制御基板２４の反対側に電源コード２１を巻き取り保持するコードリール２２が設けられている。電源コード２１は、図２に示す電源プラグ１２を持って引き出すことにより本体外へ引き出される。
【００２７】
コードリール２２は巻き取り方向に図示しない付勢手段で付勢されているが、図示しないクラッチ機構を有しており電源コード２１は引き出された位置で止まるようになっている。引き出された電源コード２１は、図２に示す電源コード巻き取りボタン１３を操作することによりコードリール２２のクラッチ機構が解除され、コードリール２２の巻き取り方向の付勢力により巻き取られ保持される。
【００２８】
（集塵ユニットの構成）
図８に示すように、集塵ユニット８は、蓋部８ｃを備えた分離可能な旋回部３３と集塵ユニット上部８ｂと集塵室３２で構成されたサイクロン式の集塵ユニットである。集塵ユニット８の蓋部８ｃにはシールパッキン３９が取り付けされていて、このシールパッキン３９を集塵室３２の開口上部に挿入することで集塵室３２が閉塞される。
【００２９】
この状態で蓋部８ｃは、集塵室３２に設けられている係止部３２ａにより係止され固定される。係止部３２ａはレバー形状で、図示しない回動軸で軸止され、図示しない係止方向に付勢する付勢手段で係止方向に回動して蓋部８ｃに掛かり、集塵ユニット上部８ｂと集塵室３２が固定される。付勢手段に抗して係止部３２ａを回動させると係止状態が解除され、集塵ユニット上部８ｂが集塵室３２から取り外せるようになる。
【００３０】
集塵ユニット上部８ｂには、図３に示す第１のホース体接続口７の連通口７ａと連通し空気が通気可能となる集塵ユニット吸込み口３１が設けられ、その裏、後側には図３に示す本体吸込み口２５と連通し空気が通気可能となる集塵ユニット排出口３７が設けられている。
【００３１】
旋回部の外壁には、空気と一緒に吸引され、旋回部３３で分離された塵埃を集塵室３２内に排出するための塵埃排出口ａ３４が設けられている。塵埃排出口ａ３４から比較的大きい塵埃が排出され、塵埃排出口ａ３４から排出されなかった小さめの細かい塵埃は、旋回部３３の逆円錐状となっている下端に設けられている塵埃排出口ｂ３５（図３参照）から集塵室３２内に排出される。
【００３２】
図３に示すように旋回部３３の上部の中心には、複数の小孔が設けられた排気筒３６が備えられている。塵埃が分離された空気は、複数の小孔を通過し集塵ユニット排出口３７から電機掃除機本体６側に吸引される。
【００３３】
集塵ユニット吸込み口３１は、集塵ユニット８の左右方向のほぼ中央に設けられている。集塵ユニット８は、塵埃を含んだ空気を旋回させて塵埃と空気を遠心分離するサイクロン式の集塵ユニットであるので、旋回性能を最大限発揮させるため、集塵ユニット吸込み口３１の内壁の一部と旋回部３３の内壁の一部が接線となるように配置されている。
【００３４】
そのため、旋回部３３の中心は、前側（集塵ユニット吸込み口３１側）から見ると左側にずれている。なお、旋回部３３の旋回方向を反時計回りにする場合は、左側にずれるが、旋回部３３の旋回方向を時計回りにする場合は、右側にずれることになる。旋回方向は何れでも設定可能であるので、それにより旋回部３３の中心は左右どちらかにずれて設定される。
【００３５】
旋回部３３は、その一部が集塵室３２内に収容されるが、旋回部３３の中心が左側にずれているので、集塵室３２内の右側に空間３２ｂができる。この空間３２ｂに、主に塵埃が捕集される。
【００３６】
集塵室３２は射出成形で形成された樹脂部品で有り底のカップ状であり、捕集された塵埃を視認可能にするため、可視光が透過可能な透明あるいは半透明の樹脂で形成されている。
【００３７】
（吸引空気の流れ、本体動作）
ここで、図１、図３、図５を使い空気の流れ、動作を説明する。なお、ここでの説明はホース体５が本体６の前側、第１のホース体接続口７に接続された状態での説明となるが、便宜上ホース体５は図３から省略していることを述べておく。
【００３８】
把持部３に設けられた操作部４の入り切りスイッチ４ａを操作すると、電動送風機２３が駆動し吸引風を発生させる。その吸引風により、被清掃面にある塵埃を空気と一緒に、吸込み具１の被清掃面と対向する面側にある開口１ａから吸引すると、塵埃を含んだ空気が延長管２、把持部３の一部、ホース体５を経由して連通口７ａと連通した集塵ユニット吸込み口３１から集塵ユニット８内に吸引される。
【００３９】
集塵ユニット８内に吸引された塵埃を含んだ空気は、旋回部３３で塵埃を遠心分離しながら上方から下方へ旋回して下りていく。その過程で塵埃排出口ａ３４から比較的大きい塵埃を集塵室３２内に排出し、さらに旋回部３３の逆円錐状となっている下端に向けて旋回して、小さめの細かい塵埃を塵埃排出口ｂ３５から集塵室３２内に排出する。
【００４０】
塵埃が分離された空気は旋回部３３内を上昇し、排気筒３６に設けられた複数の小孔を通過し集塵ユニット排出口３７から本体吸込み口２５に吸引され、電機掃除機本体６側に吸引される。
【００４１】
電機掃除機本体６内に吸引された空気は、集塵ユニット８で分離しきれなかった微細な塵埃を含んでいる可能性があるので、微細な塵埃で電動送風機２３が不具合を起こさないよう、電動送風機２３に吸引される前に吸気側フィルター２６を通過させ微細な塵埃を捕集する。吸気側フィルター２６はＨＥＰＡフィルターという、塵埃捕集効率の高いフィルターで構成されている。
【００４２】
吸気側フィルター２６を通過し電動送風機２３に吸引された後、電動送風機２３から排出された空気は、電機掃除機本体６外へ排出される前に、さらに排気側フィルター２７を通過する。
【００４３】
排気側フィルター２７はＵＬＰＡフィルターという、ＨＥＰＡフィルターよりも塵埃捕集効率が高いフィルターで構成されている。これは電機掃除機本体６外へ排出される空気をよりきれいにするためのものである。
【００４４】
排気側フィルター２７を通過した空気は、電機掃除機本体６の底面付近等を通過して本体排気口２８を通過、さらに本体排気口２８を覆うように設けられたカバー部材（排気口カバー）７１の通気孔７１ａ（図１１ａ参照）を通過して電機掃除機本体６外へ排出される。
【００４５】
（ホース体と電機掃除機本体の接続）
ここから、図９から図１８によりホース体５の接続部５ａと電気掃除機本体６との接続について説明する。
【００４６】
図９（ａ）は本発明の実施の形態１に係る電気掃除機のホース体接続部を係止用フックの側から見た部分詳細図、図９（ｂ）は本発明の実施の形態１に係る電気掃除機のホース体接続部を係止用フックが上側にあるときに側方から見た部分詳細図、図９（ｃ）は本発明の実施の形態１に係る電気掃除機のホース体接続部を本体と連通する側から見た図、図１０は本発明の実施の形態１に係る電気掃除機の本体の、図２に示すＢ方向から前側のホース体接続口（第１のホース体接続口）を見た図、図１１は本発明の実施の形態１に係る電気掃除機本体の前側のホース体接続口（第１のホース体接続口）にホース体接続部を接続して係止用フックの箇所で切断し、係止用フック周辺を示す側面から見た拡大図、図１２は第３の接続端子と第３の接続端子受けの結線（接続）状態の一例を示す模式断面図、図１３（ａ）は本発明の実施の形態１に係る電気掃除機の本体を後側から見た図、図１３（ｂ）は図１３（ａ）において、カバー部材（排気口カバー）を開いて後側のホース体接続口（第２のホース体接続口）を見た図、図１４（ａ）は本発明の実施の形態１に係る電気掃除機本体の後側のホース体接続口（第２のホース体接続口）にホース体接続部を接続する少し前の状態を示す斜視図、図１４（ｂ）は本発明の実施の形態１に係る電気掃除機本体の後側のホース体接続口（第２のホース体接続口）にホース体接続部を接続した状態を示す斜視図、図１５は本発明の実施の形態１に係る電気掃除機本体の後側のホース体接続口（第２のホース体接続口）にホース体接続部を接続し、ホース体が取り付けられた状態を示す外観斜視図、図１６は本発明の実施の形態１に係る電気掃除機本体の後側のホース体接続口（第２のホース体接続口）にホース体接続部を接続して検知手段が見える箇所で切断した、側面から見た断面図、図１７は図１６の検知手段周辺を示す拡大図、図１８は本発明の実施の形態１に係る電気掃除機本体の後側のホース体接続口（第２のホース体接続口）にホース体接続部を接続して係止用フックの箇所で切断した、係止用フック周辺を示す拡大図である。
【００４７】
図１０に示すように、電気掃除機本体６前側の集塵ユニット収容部６ａに第１のホース体接続口７が設けられている。第１のホース体接続口７の奥側には、集塵ユニット８の集塵ユニット吸込み口３１と連通する連通口７ａが設けられている。
【００４８】
図９に示すようにホース体５の接続部５ａには、接続部５ａを第１のホース体接続口７に接続したとき確実に接続するための、係止用フック６１が設けられている。図１１に示すように、係止用フック６１は接続部５ａが第１のホース体接続口７に接続されたときに第１のホース体接続口７に設けられた係合部７ｅと係合している。
【００４９】
係止用フック６１は係合部７ｅと係合する方向に、例えばバネのような付勢手段６３により付勢されている。接続部５ａを第１のホース体接続口７から抜くときは、付勢手段６３の付勢力に抗して係止解除ボタン６２を押し込むと、係止用フック６１と係合部７ｅとの係合が外れるので、接続部５ａを矢印Ｄの方向に引き抜けるようになる。
【００５０】
また、図１０に示すように、第１のホース体接続口７の連通口７ａの下方となる位置には、第１の接続端子挿入孔７ｂ、第２の接続端子挿入孔７ｃ、第３の接続端子挿入孔７ｄが設けられている。
【００５１】
それから、図９に示すように、ホース体５の接続部５ａには、電気掃除機本体６と電気的に接続するための第１の接続端子５１、第２の接続端子５２、第３の接続端子５３が設けられている。
【００５２】
接続部５ａを第１のホース体接続口７に接続したとき、第１の接続端子５１は第１の接続端子挿入孔７ｂに、第２の接続端子５２は第２の接続端子挿入孔７ｃに、第３の接続端子５３は第３の接続端子挿入孔７ｄに、それぞれ挿入される。
【００５３】
第３の接続端子５３が第３の接続端子挿入孔７ｄに挿入された状態を、図１２を用いて詳しく説明する。第３の接続端子５３が第３の接続端子挿入孔７ｄに挿入されると、第３の接続端子挿入孔７ｄの奥に設けられた第３の接続端子受け７ｆと接続される。
【００５４】
第３の接続端子受け７ｆは、第３の接続端子５３を圧入して保持する構造のもので、第３の接続端子５３が抜き差し可能である。図示しないが、同様に第１の接続端子５１が第１の接続端子挿入孔７ｂに挿入されると、第１の接続端子挿入孔７ｂの奥に設けられた第１の接続端子受けと接続され、第２の接続端子５２が第２の接続端子挿入孔７ｃに挿入されると、第２の接続端子挿入孔７ｃの奥に設けられた第２の接続端子受けと接続される。
【００５５】
第１の接続端子受け及び第２の接続端子受けも、第３の接続端子受け７ｆと同様、それぞれ第１の接続端子５１、第２の接続端子５２を圧入して保持する構造のもので、抜き差し可能である。
【００５６】
第１の接続端子受けは、図示しない接続線で制御基板２４の信号配線と接続されている。信号配線は通常、マイコンを動作させる電圧と同じレベルであり、例えば５Ｖの通電配線となる。
【００５７】
第１の接続端子５１は操作部４の入り切りスイッチ４ａ、出力可変スイッチ４ｂ、回転ブラシ駆動スイッチ４ｃと接続されていて、第１の接続端子５１が第１の接続端子受けと接続されると、入り切りスイッチ４ａ、出力可変スイッチ４ｂ、回転ブラシ駆動スイッチ４ｃが制御基板２４の信号配線（第１の信号配線）と結線された状態となる。
【００５８】
第２の接続端子受けは、図示しない接続線で制御基板２４の基準電位配線と接続されている。基準電位とは通常０Ｖであり、基準電位配線は、信号配線、電力配線との共通配線となっている。
【００５９】
第２の接続端子５２は操作部４の入り切りスイッチ４ａ、出力可変スイッチ４ｂ、回転ブラシ駆動スイッチ４ｃと接続されていて、第２の接続端子５２が第２の接続端子受けと接続されると、入り切りスイッチ４ａ、出力可変スイッチ４ｂ、回転ブラシ駆動スイッチ４ｃが制御基板２４の基準電位配線（第１の基準電位配線）と結線された状態となる。
【００６０】
第１の接続端子５１が第１の接続端子受けと接続され、第２の接続端子５２が第２の接続端子受けと接続されると、入り切りスイッチ４ａにより電動送風機２３の入り切りが行え、出力可変スイッチ４ｂにより電動送風機２３の出力の可変が行えるようになる。
【００６１】
第３の接続端子受けは、図示しない接続線で制御基板２４の電力配線と接続されている。本発明の実施の形態の電気掃除機１００では、商用電源１００Ｖでの使用となるので電力配線は１００Ｖ線である。
【００６２】
第３の接続端子５３は操作部４の回転ブラシ駆動スイッチ４ｃを経由して、吸込み具１に収容された回転ブラシ４１を駆動する回転ブラシ用電動機４２と接続されていて、第３の接続端子５３が第３の接続端子受け７ｆと接続されると、回転ブラシ用電動機４２が電力供給を受けられる制御基板２４の電力配線と電力供給配線が結線された状態となる。
【００６３】
第２の接続端子５２が第２の接続端子受けと接続され、第３の接続端子５３が第３の接続端子受け７ｆと接続されると、回転ブラシ駆動スイッチ４ｃにより回転ブラシ用電動機４２を稼働させ、回転ブラシ４１を駆動させることができる。
【００６４】
次に、図１３（ｂ）に示すように電気掃除機本体６の後側に第２のホース体接続口８１が設けられている。第２のホース体接続口８１は、第１のホース体接続口７と同様、ホース体５の接続部５ａが接続可能である。
【００６５】
第２のホース体接続口８１の奥側には、吸込み具１で吸引された空気（吸引風）が排気される本体排気口２８が設けられている。本体排気口２８は、通常の掃除をする場合、カバー部材（排気口カバー）７１で覆われている。
【００６６】
カバー部材（排気口カバー）７１は、図示しない係合部で電気掃除機本体６と係止されていて、カバー係止解除レバー７２を上方向に引くと係合が外れて開くことができる。カバー係止解除レバー７２は、図示しない例えばバネのような付勢手段で下方向（係合が外れない方向）に付勢されている。カバー部材（排気口カバー）７１は、カバー係止解除レバー７２を上方向に引く流れで、図１３（ｂ）に示すように上方向に開くようになっている。
【００６７】
また、図１３（ｂ）に示すように、第２のホース体接続口８１の本体排気口２８の上方となる位置には、第４の接続端子挿入孔８１ａ、第５の接続端子挿入孔８１ｂ、第６の接続端子挿入孔８１ｃが設けられている。
【００６８】
ホース体５の接続部５ａを第２のホース体接続口８１に接続するときは、第１のホース体接続口７に接続する場合と１８０度向きが回転した状態となり、図１４（ａ）に示すように係止用フック６１、係止解除ボタン６２が上に向いていて、そのまま挿入すると図１４（ｂ）に示すように接続される。
【００６９】
そして、図１５に示す操作部４を備える把持部３と接続された可撓性軟質管５ｂと、さらに可撓性軟質管５ｂと接続部５ａを介して電気掃除機本体６の後側の第２のホース体接続口８１に接続された状態となり、送風機能が使用できる状態となる。送風機能を使用する場合、延長管２及び吸込み具１は不要となるため取り外し、その代わりに送風（排気）を集約するようなブローノズル８２を取り付けている。
【００７０】
図１８に示すように、係止用フック６１は接続部５ａが第２のホース体接続口８１に接続されたときに、第２のホース体接続口８１に設けられた係合部８１ｄと係合している。
【００７１】
係止用フック６１は係合部８１ｄと係合する方向に、付勢手段６３により付勢されているので、接続部５ａを第２のホース体接続口８１から抜くときは、付勢手段６３の付勢力に抗して係止解除ボタン６２を押し込むと、係止用フック６１と係合部８１ｄとの係合が外れるので、接続部５ａを矢印Ｅの方向に引き抜けるようになる。
【００７２】
接続部５ａを第２のホース体接続口８１に接続したとき、第１の接続端子５１は第４の接続端子挿入孔８１ａに、第２の接続端子５２は第５の接続端子挿入孔８１ｂに、第３の接続端子５３は第６の接続端子挿入孔８１ｃに、それぞれ挿入される。
【００７３】
図示しないが、第４の接続端子挿入孔８１ａ及び第５の接続端子挿入孔８１ｂの奥には、第１の接続端子挿入孔７ｂと第２の接続端子挿入孔７ｃ及び第３の接続端子挿入孔７ｄと同様に、接続端子を圧入して保持する構造の接続端子受けが設けられている。
【００７４】
第４の接続端子挿入孔８１ａの奥には第４の接続端子受け、第５の接続端子挿入孔８１ｂの奥には第５の接続端子受けがもうけられており、第１の接続端子５１が第４の接続端子挿入孔８１ａに挿入されると、第４の接続端子挿入孔８１ａの奥に設けられた第４の接続端子受けと接続され、第２の接続端子５２が第５の接続端子挿入孔８１ｂに挿入されると、第５の接続端子挿入孔８１ｂの奥に設けられた第５の接続端子受けと接続される。
【００７５】
第４の接続端子受け及び第５の接続端子受けも、第１のホース体接続口７の第１の接続端子受けと第２の接続端子受け及び第３の接続端子受け７ｆと同様、それぞれ第１の接続端子５１、第２の接続端子５２を圧入して保持する構造のもので抜き差し可能である。
【００７６】
第４の接続端子受けは、図示しない接続線で制御基板２４の信号（５Ｖ）配線と接続されている。前述のように第１の接続端子５１は操作部４の入り切りスイッチ４ａ、出力可変スイッチ４ｂ、回転ブラシ駆動スイッチ４ｃと接続されていて、第１の接続端子５１が第４の接続端子受けと接続されると、入り切りスイッチ４ａ、出力可変スイッチ４ｂ、回転ブラシ駆動スイッチ４ｃが制御基板２４の信号配線（第２の信号配線）と結線された状態となる。
【００７７】
第５の接続端子受けは、図示しない接続線で制御基板２４の基準電位（０Ｖ）配線と接続されている。第２の接続端子５２は操作部４の入り切りスイッチ４ａ、出力可変スイッチ４ｂ、回転ブラシ駆動スイッチ４ｃと接続されていて、第２の接続端子５２が第５の接続端子受けと接続されると、入り切りスイッチ４ａ、出力可変スイッチ４ｂ、回転ブラシ駆動スイッチ４ｃが制御基板２４の基準電位配線（第２の基準電位配線）と結線された状態となる。
【００７８】
第１の接続端子５１が第４の接続端子受けと接続され、第２の接続端子５２が第５の接続端子受けと接続されると、入り切りスイッチ４ａにより電動送風機２３の入り切りが行え、出力可変スイッチ４ｂにより電動送風機２３の出力の可変が行えるようになる。
【００７９】
図示しないが、第４の接続端子受け及び第５の接続端子受けは排気の風路内に配置されている。排気の空気は、前述したように、吸気側フィルター２６を通過し電動送風機２３に吸引された後、電動送風機２３から排出され、さらに排気側フィルター２７を通過（図１６参照）するようになっており、第４の接続端子受け及び第５の接続端子受けはその下流に配置されている。
【００８０】
このように配置することで、第４の接続端子受け及び第５の接続端子受けは塵埃が取り除かれた排気経路にあるので、第４の接続端子受け及び第５の接続端子受けに塵埃が積もることがなく、接続の不具合が生じにくくなる。
【００８１】
第６の接続端子挿入孔８１ｃの奥には、他の接続端子挿入孔と異なり、接続端子受けが設けられていない。つまり、ホース体５の接続部５ａを第２のホース体接続口８１に接続したとき、第３の接続端子５３は制御基板２４と電気的に接続されていない状態となる。
【００８２】
第３の接続端子５３は、ホース体５の接続部５ａを第１のホース体接続口７に接続したときは操作部４の回転ブラシ駆動スイッチ４ｃを経由して、吸込み具１に収容された回転ブラシ４１を駆動する回転ブラシ用電動機４２と接続されていて、第３の接続端子５３が第３の接続端子受け７ｆと接続されると、回転ブラシ用電動機４２が電力供給を受けられる制御基板２４の電力配線と電力供給配線が結線された状態であった。
【００８３】
しかし、図１５に示したように、ホース体５の接続部５ａを第２のホース体接続口８１に接続して送風機能を使用する場合、吸込み具１は不要となるので、吸込み具１に収容されている回転ブラシを駆動する必要がなくなる。よって、ホース体５の接続部５ａを第２のホース体接続口８１に接続した場合は、第３の接続端子５３を制御基板２４と電気的に接続する必要がないので、第６の接続端子挿入孔８１ｃの奥には、制御基板２４と電気的に接続された接続端子受けが設けられていない。
【００８４】
なお、ここでは第３の接続端子５３を制御基板２４と電気的に接続しないため、制御基板２４と電気的に接続された接続端子受けを設けない旨、説明したが、制御基板２４と電気的に接続されていない接続端子受け（第６の接続端子受け）を設けてもよい。
【００８５】
第３の接続端子５３は、ホース体５の接続部５ａを第２のホース体接続口８１に接続した状態になったとき、制御基板２４と電気的接続をしない代わりに、制御基板２４と図示しない配線で接続された、図１７に示す検知手段７３に検知されるようになっている。
【００８６】
検知手段７３は、ホース体５の接続部５ａが第２のホース体接続口８１に接続されたか否かを検知するもので、第６の接続端子挿入孔８１ｃの奥に取り付けられている。本発明の実施の形態１では、検知手段７３をヒンジ付きのマイクロスイッチで説明しており、第３の接続端子５３が、第６の接続端子挿入孔８１ｃに挿入され、ホース体５の接続部５ａが第２のホース体接続口８１に接続された状態で、マイクロスイッチのヒンジを押すようになっている。
【００８７】
マイクロスイッチのヒンジが押されることで、マイクロスイッチがオンして、制御基板２４に内包された制御手段がホース体５の接続部５ａが第２のホース体接続口８１に接続されたことを検知している。
【００８８】
第３の接続端子５３は、ホース体５の接続部５ａを第２のホース体接続口８１に接続した状態になったとき、検知手段７３が接続されたか否かを検知する重要な端子であるので、図９（ａ）に示すように、係止用フック６１に最も近い位置に配置されている。これにより第３の接続端子５３は確実に保持され、安定した検知が可能となる。
【００８９】
これは、接続部５ａを第１のホース体接続口７に接続したときも同様で、第３の接続端子５３は、ホース体５の接続部５ａを第１のホース体接続口７に接続した状態になったときは制御基板２４の電力（１００Ｖ）配線と接続されるので、第３の接続端子５３は１００Ｖの電力配線との接続が確実に保持され、回転ブラシ用電動機４２への安定した１００Ｖの電圧供給が可能となる。
【００９０】
なお、本発明の実施の形態１では、ホース体５の接続部５ａが第２のホース体接続口８１に接続されたか否かを電気的に接続されていない第３の接続端子５３で検知するようにしたが、電気的な接続の状態により、ホース体５の接続部５ａが第２のホース体接続口８１に接続されたか否かを検知、例えば電流を検知、電圧を検知、電気信号を検知することも可能である。その場合、第３の接続端子５３だけでなく、第１の接続端子５１、第２の接続端子５２の何れの接続端子も検知の対象とすることができる。
【００９１】
（送風機能時の動作）
次に図１９を用いて、本発明の実施の形態１の電気掃除機の動作を詳しく説明する。図１９は本発明の実施の形態１に係る電気掃除機の動作のフローチャートである。
【００９２】
まず、ホース体５の接続部５ａをホース体接続口に接続（ＳＴ１）する。ＳＴ２で検知手段７３が接続されたことを検知しない場合、制御手段はホース体５の接続部５ａが第１のホース体接続口７に接続されたと判断（ＳＴ３）、制御手段は通常の電気掃除機としての動作を行うように制御（ＳＴ４）する。
【００９３】
ＳＴ５で入り切りスイッチ４ａを操作入力すると、電動送風機２３が出力Ｗ１で駆動を開始する（ＳＴ６）。出力Ｗ１は、本発明の実施の形態１の電気掃除機の電動送風機２３の最大出力である。
【００９４】
次に、出力可変スイッチ４ｂを操作入力する（ＳＴ７）と、制御手段は出力Ｗ１よりも低い出力Ｗ２で電動送風機２３を駆動させる（ＳＴ８）。本発明の実施の形態では、出力Ｗ１と出力Ｗ２の２段階の切替え可変ができるようになっているが、３段階以上の多段階の切替え可変ができるようになっていてもよい。
【００９５】
ホース体５の接続部５ａが第１のホース体接続口７に接続されている場合、前述のように回転ブラシ用電動機４２へ電力が供給されるので、回転ブラシ駆動スイッチ４ｃが操作入力される（ＳＴ９）と回転ブラシ４１が駆動を開始する（ＳＴ１０）。
【００９６】
掃除が終了したら、入り切りスイッチ４ａを操作入力する（ＳＴ１１）と、制御手段は電動送風機２３の駆動を停止する（ＳＴ１２）。電動送風機２３の駆動が停止すると吸引風が発生しないので、回転ブラシ４１が駆動している場合、併せて駆動停止となる。
【００９７】
ＳＴ２で検知手段７３が接続されたことを検知した場合、制御手段はホース体５の接続部５ａが第２のホース体接続口８１に接続されたと判断（ＳＴ１３）、制御手段は送風機能としての動作を行うように制御（ＳＴ１４）する。
【００９８】
ＳＴ１５で入り切りスイッチ４ａを操作入力すると、電動送風機２３が出力Ｗ３で駆動を開始する（ＳＴ１６）。出力Ｗ３は、本発明の実施の形態１の送風機能の最大出力であるが、Ｗ３はＷ１、Ｗ２よりも小さい出力設定となっている。
【００９９】
言い換えると、送風機能の最大出力Ｗ３は、通常の電気掃除機１００として使用するときの電動送風機２３の最大出力Ｗ１、Ｗ１よりも低い出力Ｗ２よりもさらに低い設定となっている。これは、角部などに溜まった塵埃などを送風機能で吹き飛ばすときに、出力が強いと散らばりすぎてしまうため、塵埃が散らばりすぎないよう出力を下げるようにしている。
【０１００】
次に、出力可変スイッチ４ｂを操作入力する（ＳＴ１７）と、制御手段は出力Ｗ３よりも低い出力Ｗ４で電動送風機２３を駆動させる（ＳＴ１８）。本発明の実施の形態では、出力Ｗ３と出力Ｗ４の２段階の切替え可変ができるようになっているが、３段階以上の多段階の切替え可変ができるようになっていてもよい。
【０１０１】
ホース体５の接続部５ａが第２のホース体接続口８１に接続されている場合、前述のように回転ブラシ４１を収容する吸込み具１が接続されておらず、回転ブラシ用電動機４２へ電力が供給されないので、回転ブラシ駆動スイッチ４ｃが操作入力されても操作入力を受付けない（ＳＴ１９）。
【０１０２】
送風機能の使用が終了したら、入り切りスイッチ４ａを操作入力する（ＳＴ２０）と、制御手段は電動送風機２３の駆動を停止する（ＳＴ２１）。
【０１０３】
なお、本発明の実施の形態１では送風機能の電動送風機２３の最大出力Ｗ３を、通常の電気掃除機１００として使用するときの電動送風機２３の最大出力Ｗ１、Ｗ１よりも低い出力Ｗ２よりも小さく設定するようにしたが、Ｗ１よりは小さく、Ｗ２よりは大きい出力としても、塵埃が散らばりすぎないようにすることができる。
【０１０４】
それから、本発明の実施の形態１では、ホース体５の接続部５ａが第２のホース体接続口８１への接続を、第３の接続端子５３が検知手段７３に検知されることで判断していたが、これに限定されるものではない。例えば、第２のホース体接続口８１はカバー部材（排気口カバー）７１で覆われており、カバー部材（排気口カバー）７１を開かないとホース体５の接続部５ａが接続できない。
【０１０５】
カバー部材（排気口カバー）７１にはカバー係止解除レバー７２が設けられていて、意図をもってカバー係止解除レバー７２を操作しないとカバー部材（排気口カバー）７１は開かないようになっている。
【０１０６】
よって、意図をもってカバー部材（排気口カバー）７１を開くときは、ホース体５の接続部５ａを第２のホース体接続口８１に接続するときであるので、カバー部材（排気口カバー）７１が開いたことを検知する検知手段を設け、カバー部材（排気口カバー）７１が開いたら、ホース体５の接続部５ａが第２のホース体接続口８１へ接続されたと判断するようにしてもよい。
【０１０７】
以上のように構成したので、ホース体５の接続部５ａを第１のホース体接続口７、第２のホース体接続口８１の何れに接続しても操作部４の入り切りスイッチ４ａで電動送風機２３を駆動でき、送風機能として使用するときも電気掃除機１００として使用するときと同じ使い勝手を実現でき、使用者がとまどうことがなく利便性のよい送風機能を提供できる。
【０１０８】
実施の形態２．
（送風機能時の動作）
本発明の実施の形態２に係る電気掃除機は、本発明の実施の形態１に係る電気掃除機と送風機能時の動作が異なり、それ以外は本発明の実施の形態１に係る電気掃除機と同様の構成である。
【０１０９】
よって、ここでは本発明の実施の形態１に係る電気掃除機と異なる送風機能時の動作について図２０によって説明し、それ以外の説明は省略する。図２０は本発明の実施の形態２に係る電気掃除機の動作のフローチャートである。
【０１１０】
まず、ホース体５の接続部５ａをホース体接続口に接続（ＳＴ３１）する。ＳＴ３２で検知手段７３が接続されたことを検知しない場合、制御手段はホース体５の接続部５ａが第１のホース体接続口７に接続されたと判断（ＳＴ３３）、制御手段は通常の電気掃除機としての動作を行うように制御（ＳＴ３４）する。
【０１１１】
ＳＴ３５で入り切りスイッチ４ａを操作入力すると、電動送風機２３が出力Ｗ１で駆動を開始する（ＳＴ３６）。出力Ｗ１は、本発明の実施の形態１の電気掃除機の電動送風機２３の最大出力である。
【０１１２】
次に、出力可変スイッチ４ｂを操作入力する（ＳＴ３７）と、制御手段は出力Ｗ１よりも低い出力Ｗ２で電動送風機２３を駆動させる（ＳＴ３８）。本発明の実施の形態では、出力Ｗ１と出力Ｗ２の２段階の切替え可変ができるようになっているが、３段階以上の多段階の切替え可変ができるようになっていてもよい。
【０１１３】
ホース体５の接続部５ａが第１のホース体接続口７に接続されている場合、前述のように回転ブラシ用電動機４２へ電力が供給されるので、回転ブラシ駆動スイッチ４ｃが操作入力される（ＳＴ３９）と回転ブラシ４１が駆動を開始する（ＳＴ４０）。
【０１１４】
掃除が終了したら、入り切りスイッチ４ａを操作入力する（ＳＴ４１）と、制御手段は電動送風機２３の駆動を停止する（ＳＴ４２）。電動送風機２３の駆動が停止すると吸引風が発生しないので、回転ブラシ４１が駆動している場合、併せて駆動停止となる。
【０１１５】
ＳＴ３２で検知手段７３が接続されたことを検知した場合、制御手段はホース体５の接続部５ａが第２のホース体接続口８１に接続されたと判断（ＳＴ４３）、制御手段は送風機能としての動作を行うように制御（ＳＴ４４）する。
【０１１６】
ＳＴ４５で入り切りスイッチ４ａを操作入力すると、電動送風機２３が出力Ｗ５で駆動を開始する（ＳＴ４６）。出力Ｗ５は、本発明の実施の形態１の送風機能の最大出力であるが、Ｗ５はＷ１、Ｗ２よりも大きい出力設定となっている。
【０１１７】
言い換えると、送風機能の最大出力Ｗ５は、通常の電気掃除機１００として使用するときの電動送風機２３の最大出力Ｗ１、Ｗ１よりも低い出力Ｗ２よりもさらに高い設定となっている。これは、角部などに溜まった塵埃などを送風機能で吹き飛ばすときに、より高い出力で塵埃を残さず吹き飛ばせるようにするためである。
【０１１８】
次に、出力可変スイッチ４ｂを操作入力する（ＳＴ４７）と、制御手段は出力Ｗ５よりも低い出力Ｗ６で電動送風機２３を駆動させる（ＳＴ４８）。本発明の実施の形態では、出力Ｗ５と出力Ｗ６の２段階の切替え可変ができるようになっているが、３段階以上の多段階の切替え可変ができるようになっていてもよい。
【０１１９】
ホース体５の接続部５ａが第２のホース体接続口８１に接続されている場合、前述のように回転ブラシ４１を収容する吸込み具１が接続されておらず、回転ブラシ用電動機４２へ電力が供給されないので、回転ブラシ駆動スイッチ４ｃが操作入力されても操作入力を受付けない（ＳＴ４９）。
【０１２０】
送風機能の使用が終了したら、入り切りスイッチ４ａを操作入力する（ＳＴ５０）と、制御手段は電動送風機２３の駆動を停止する（ＳＴ５１）。
【０１２１】
以上のように構成したので、本発明の実施の形態１同様、ホース体５の接続部５ａを第１のホース体接続口７、第２のホース体接続口８１の何れに接続しても操作部４の入り切りスイッチ４ａで電動送風機２３を駆動でき、送風機能として使用するときも電気掃除機１００として使用するときと同じ使い勝手を実現でき、使用者がとまどうことがなく利便性のよい送風機能を提供できる。
【符号の説明】
【０１２２】
１  吸込み具、１ａ  開口、１ｂ  上ケース、１ｃ  下ケース、２  延長管、３  把持部、４  操作部、４ａ  入り切りスイッチ、４ｂ  出力可変スイッチ、４ｃ  回転ブラシ駆動スイッチ、５  ホース体、５ａ  接続部、５ｂ  可撓性軟質管、６  電気掃除機本体、６ａ  集塵ユニット収容部、７  第１のホース体接続口、７ａ  連通口、７ｂ  第１の接続端子挿入孔、７ｃ  第２の接続端子挿入孔、７ｄ  第３の接続端子挿入孔、７ｅ  係合部、７ｆ  第３の接続端子受け、８  集塵ユニット、８ａ  手掛け（指掛け）部、８ｂ  集塵ユニット上部、８ｃ  蓋部、９  ハンドル、１０  前輪、１１  後輪、１２  電源プラグ、１３  電源コード巻き取りボタン、２１  電源コード、２２  コードリール、２３  電動送風機、２４  制御基板、２５  本体吸込み口、２６  吸気側フィルター、２７  排気側フィルター、２８  本体排気口、３１  集塵ユニット吸込み口、３２  集塵室、３２ａ  係止部、３２ｂ  空間、３３  旋回部、３４  塵埃排出口ａ、３５  塵埃排出口ｂ、３６  排気筒、３７  集塵ユニット排出口、３８  係止解除ボタン、３９  シールパッキン、４１  回転ブラシ、４２  回転ブラシ用電動機、４３  駆動ベルト、５１  第１の接続端子、５２  第２の接続端子、５３  第３の接続端子、６１  係止用フック、６２  係止解除ボタン、６３  付勢手段、７１  カバー部材（排気口カバー）、７１ａ  通気孔、７２  カバー係止解除レバー、７３  検知手段、８１  第２のホース体接続口、８１ａ  第４の接続端子挿入孔、８１ｂ  第５の接続端子挿入孔、８１ｃ  第６の接続端子挿入孔、８１ｄ  係合部、８２  ブローノズル、１００  電気掃除機。
【図１】
0006515727.tif 000002
【図２】
0006515727.tif 000003
【図３】
0006515727.tif 000004
【図４】
0006515727.tif 000005
【図５】
0006515727.tif 000006
【図６】
0006515727.tif 000007
【図７】
0006515727.tif 000008
【図８】
0006515727.tif 000009
【図９】
0006515727.tif 000010
【図１０】
0006515727.tif 000011
【図１１】
0006515727.tif 000012
【図１２】
0006515727.tif 000013
【図１３】
0006515727.tif 000014
【図１４】
0006515727.tif 000015
【図１５】
0006515727.tif 000016
【図１６】
0006515727.tif 000017
【図１７】
0006515727.tif 000018
【図１８】
0006515727.tif 000019
【図１９】
0006515727.tif 000020
【図２０】
0006515727.tif 000021